【手続補正書】
【提出日】平成24年10月11日(2012.10.11)
【手続補正１】
【補正対象書類名】特許請求の範囲
【補正対象項目名】全文
【補正方法】変更
【補正の内容】
【特許請求の範囲】
【請求項１】
吸光部材（ＯＳＣ）における、オリゴマーとして金属−金属相互作用を示す、反対の電荷を帯びた金属錯体の使用であって、前記金属錯体が、
少なくとも１つの正電荷を帯びた金属錯体と、
少なくとも１つの負電荷を帯びた金属錯体と、
を含む、オリゴマーを形成し、
前記金属錯体が、
式（Ｉ）  Ｋ１＝［Ｌ１Ｌ２Ｌ３Ｌ４Ｍ１］ｎ＋及び
式（ＩＩ）  Ｋ２＝［Ｌ５Ｌ６Ｌ７Ｌ８Ｍ２］ｎ−
（式中、Ｍ１及びＭ２はそれぞれ、Ｉｒ（Ｉ）、Ｒｈ（Ｉ）、Ｐｔ（ＩＩ）、Ｐｄ（ＩＩ）及びＡｕ（ＩＩＩ）から相互に独立して選択される金属中心であり、
Ｌ１〜Ｌ４及びＬ５〜Ｌ８はそれぞれ中性配位子又は電荷を帯びた配位子を表し、Ｌ１〜Ｌ４及びＬ５〜Ｌ８の２つ以上が相互に連結していてもよく、ｎは１又は２である）
を有する、光電子部材若しくは吸光部材（ＯＳＣ）における、オリゴマーとして金属−金属相互作用を示す、反対の電荷を帯びた金属錯体の使用。
【請求項２】
前記オリゴマーが、柱状構造−Ｋ１−Ｋ２−Ｋ１−Ｋ２−
（式中、Ｋ１は一価の正電荷を帯びた錯体（式（Ｉ））であり、
Ｋ２は一価の負電荷を帯びた錯体（式（ＩＩ））であるか、又は
Ｋ１は二価の正電荷を帯びた錯体（式（Ｉ））であり、
Ｋ２は二価の負電荷を帯びた錯体（式（ＩＩ））である）
を示すことを特徴とする、請求項１に記載の使用。
【請求項３】
前記オリゴマーが、柱状構造−Ｋ１−Ｋ２−Ｋ３−Ｋ１−Ｋ２−Ｋ３−Ｋ１−
（式中、Ｋ１が式（Ｉ）による二価の正電荷を帯びた錯体であり、
Ｋ２及びＫ３が式（ＩＩ）による一価の負電荷を帯びた錯体であるか、又は、
Ｋ１が二価の負電荷を帯びた錯体であり、
Ｋ２及びＫ３が一価の正電荷を帯びた錯体である）
を有することを特徴とする、請求項１に記載の使用。
４のいずれか一項に記載の使用。
【請求項４】
前記オリゴマーが、
Ｋ１＝［Ｌ１Ｌ２Ｌ３Ｌ４Ｐｔ（ＩＩ）］＋（式（Ｉ））及びＫ２＝［Ｌ５Ｌ６Ｌ７Ｌ８Ｐｔ（ＩＩ）］−（式（ＩＩ））又は
Ｋ１＝［Ｌ１Ｌ２Ｌ３Ｌ４Ｐｄ（ＩＩ）］＋（式（Ｉ））及びＫ２＝［Ｌ５Ｌ６Ｌ７Ｌ８Ｐｄ（ＩＩ）］−（式（ＩＩ））
である複錯塩であり、
Ｋ１が下記式から選ばれる１であり：
【化１−１】
2012506625.tif 000001
、
【化１−２】
2012506625.tif 000002
、
【化１−３】
2012506625.tif 000003
、
【化１−４】
2012506625.tif 000004
（上記において、単位ＡとＢは、５員環又は６員環であって、または開鎖であってもよい）
及びＫ２が以下の式：
【化２−１】
2012506625.tif 000005
【化２−２】
2012506625.tif 000006
のうちの１つであり、単位ＡとＢは、５員環又は６員環であって、または開鎖であってもよい、において、
Ｒ１〜Ｒ３がそれぞれ独立して相互に、有機基に由来するものであり、水素、ハロゲン、−ＯＲ、−ＮＲ２、−ＳｉＲ３（式中、ＲはＣ１〜Ｃ３０カルボヒドレート部位、若しくはＣ６〜Ｃ２０カルボヒドレート部位である）、アルキル、アルケニル、アリール、又はＯ、Ｎ、及びＳから選択される１個〜５個のヘテロ原子を有するヘテロアリール（アルキル基、アルキニル基、アリール基又はヘテロアリール基、又はハロゲン、Ｃ１〜Ｃ３０アルキル基から選択される置換基で置換され得る）から選択され、かつ／又は、
ＮＬ１とＮＬ２がそれぞれ独立して、中性配位子、又はカルボニル、ニトリル、イソニトリル又はオキサゾールであり、ＡＬ１とＡＬ２がそれぞれ独立して、アニオン性配位子、又はシアニド、クロリド、ブロミド、ヨージド、ＲＳ−、ＲＯ−、ＳＣＮ−、ＯＣＮ−、アリール、アルケニル、アルキニル若しくはボレートであることを特徴とする、請求項１〜５のいずれか一項に記載の使用。
【請求項５】
前記オリゴマーが、
Ｋ１＝［Ｌ１Ｌ２Ｌ３Ｌ４Ｉｒ（Ｉ）］＋及びＫ２＝［Ｌ５Ｌ６Ｌ７Ｌ８Ｉｒ（Ｉ）］−
又は
Ｋ１＝［Ｌ１Ｌ２Ｌ３Ｌ４Ｒｈ（Ｉ）］＋及びＫ２＝［Ｌ５Ｌ６Ｌ７Ｌ８Ｒｈ（Ｉ）］−
を有する複錯塩であり、
Ｋ１が以下の式：
【化３−１】
2012506625.tif 000007
、
【化３−２】
2012506625.tif 000008
、
【化３−３】
2012506625.tif 000009
、
【化３−４】
2012506625.tif 000010
から選択され、そこにおいて、単位ＡとＢは、５員環又は６員環であって、または開鎖であってもよく、Ｋ２が以下の式：
【化４】
2012506625.tif 000011
から選択され、そこにおいて、単位ＡとＢは、５員環又は６員環であって、または開鎖であってもよく、
Ｒ１〜Ｒ３がそれぞれ独立して相互に、有機基に由来するものであり、水素、ハロゲン、−ＯＲ、−ＮＲ２、−ＳｉＲ３（式中、ＲはＣ１〜Ｃ３０カルボヒドレート部位、もしくはＣ６〜Ｃ２０カルボヒドレート部位である）、アルキル、アルケニル、アリール、又はＯ、Ｎ及びＳから選択される１個〜５個のヘテロ原子を有するヘテロアリール（アルキル基、アルキニル基、アリール基又はヘテロアリール基はハロゲン、Ｃ１〜Ｃ３０アルキル基から選択される置換基で置換され得る）から選択され、かつ／又は、
ＮＬ１とＮＬ２がそれぞれ独立して、任意の中性配位子、若しくはカルボニル、ニトリル、イソニトリル又はオキサゾールであり、
ＡＬ１がアニオン性配位子、又はシアニド、クロリド、ブロミド、ヨージド、ＲＳ−、ＲＯ−、ＳＣＮ−、ＯＣＮ−、アリール、アルケニル、アルキニル若しくはボレートである、請求項１〜３のいずれか一項に記載の使用。
【請求項６】
前記オリゴマーが、
Ｋ１＝［Ｌ１Ｌ２Ｌ３Ｌ４Ｐｔ（ＩＩ）］２＋及びＫ２＝［Ｌ５Ｌ６Ｌ７Ｌ８Ｐｔ（ＩＩ）］２−
又は
Ｋ１＝［Ｌ１Ｌ２Ｌ３Ｌ４Ｐｄ（ＩＩ）］２＋及びＫ２＝［Ｌ５Ｌ６Ｌ７Ｌ８Ｐｄ（ＩＩ）］２−
を有する複錯塩であり、
Ｋ１が以下の式の一つ：
【化５−１】
2012506625.tif 000012
、若しくは
【化５−２】
2012506625.tif 000013
であり、そこにおいて、単位ＡとＢは、５員環又は６員環であって、または開鎖であってもよく、
そして、
Ｋ２が
【化５−３】
2012506625.tif 000014
から選択され、
Ｒ１〜Ｒ６がそれぞれ独立して相互に、有機基に由来するものであり、水素、ハロゲン、−ＯＲ、−ＮＲ２、−ＳｉＲ３（式中、ＲはＣ１〜Ｃ３０カルボヒドレート部位、若しくはＣ６〜Ｃ２０カルボヒドレート部位である）、アルキル、アルケニル、アリール、又はＯ、Ｎ及びＳから選択される１個〜５個のヘテロ原子を有するヘテロアリール（アルキル基、アルキニル基、アリール基又はヘテロアリール基はハロゲン、Ｃ１〜Ｃ３０アルキル基から選択される置換基で置換され得る）から選択され、かつ／又は、
ＮＬ１及びＮＬ２がそれぞれ独立して、中性配位子、又はカルボニル、ニトリル、イソニトリル又はオキサゾールであり、
ＡＬ１、ＡＬ２、ＡＬ３、ＡＬ４がそれぞれ独立して、アニオン性配位子、又はシアニド、クロリド、ブロミド、ヨージド、ＲＳ−、ＲＯ−、ＳＣＮ−、ＯＣＮ−、アリール、アルケニル、アルキニル若しくはボレートである、請求項１〜３のいずれか一項に記載の使用。
【請求項７】
吸光部材（ＯＳＣ）としての光電子部材におけるオリゴマーの使用であって、
少なくとも１つの正電荷を帯びた金属錯体と、
少なくとも１つの負電荷を帯びた金属錯体と、
を含み、
前記金属錯体が、
式（Ｉ）  Ｋ１＝［Ｌ１Ｌ２Ｌ３Ｌ４Ｍ１］ｎ＋及び
式（ＩＩ）  Ｋ２＝［Ｌ５Ｌ６Ｌ７Ｌ８Ｍ２］ｎ−
（式中、
Ｍ１及びＭ２はそれぞれ、Ｉｒ（Ｉ）、Ｒｈ（Ｉ）、Ｐｔ（ＩＩ）、Ｐｄ（ＩＩ）及びＡｕ（ＩＩＩ）から相互に独立して選択される金属中心であり、
Ｌ１〜Ｌ４及びＬ５〜Ｌ８はそれぞれ中性配位子又は電荷を帯びた配位子を表し、Ｌ１〜Ｌ４及びＬ５〜Ｌ８の２つ以上が相互に連結していてもよく、ｎは１又は２である）を有し、前記オリゴマーが柱状構造を形成し、前記柱状構造が式（Ｉ）及び／又は式（ＩＩ）の金属錯体で規定され、ドープに使用される前記金属錯体が、前記オリゴマーマトリクスを形成する前記金属錯体と異なる中心原子を有する、光電子部材における使用のための、オリゴマー。
【請求項８】
ドープに使用される前記金属錯体が、前記オリゴマーマトリクスを形成する前記金属錯体に対して１：１００００〜１：３のモル比で存在することを特徴とする、レーザーにおける使用のための、請求項７に記載のオリゴマーの使用。
【請求項９】
吸光部材（ＯＳＣ）としての複錯塩の使用であって、
少なくとも１つの正電荷を帯びた金属錯体と、
少なくとも１つの負電荷を帯びた金属錯体と、
を含み、
前記金属錯体が、
式（Ｉ）  Ｋ１＝［Ｌ１Ｌ２Ｌ３Ｌ４Ｍ１］ｎ＋及び
式（ＩＩ）  Ｋ２＝［Ｌ５Ｌ６Ｌ７Ｌ８Ｍ２］ｎ−
（式中、
Ｍ１及びＭ２はそれぞれ、Ｉｒ（Ｉ）、Ｒｈ（Ｉ）、Ｐｔ（ＩＩ）、Ｐｄ（ＩＩ）及びＡｕ（ＩＩＩ）から相互に独立して選択される金属中心であり、
Ｌ１〜Ｌ４及びＬ５〜Ｌ８はそれぞれ中性配位子又は電荷を帯びた配位子を表し、Ｌ１〜Ｌ４及びＬ５〜Ｌ８の２つ以上が相互に連結していてもよく、ｎは１又は２である）を有し、溶解性を増大させるための配位子の少なくとも１つが、大きな有機基、又は１つ若しくは幾つかのアルキル基Ｃ１〜Ｃ２００若しくはＣ９〜Ｃ３０、又は１つ若しくは幾つかのポリシロキサン基、及びｎ＝１〜２００若しくは５〜３０である式（−ＯＳｉＲ２−）ｎＯＳｉＲ’３、又は１つ若しくは幾つかのポリエーテル基、ｎ＝１〜２００若しくは２〜３０である（−ＯＣＨ２−）ｎＯＲ若しくは（−ＯＣＨ２ＣＨ２）ｎＯＲ（式中、Ｒ及びＲ’はアルキル基Ｃ１〜Ｃ６であって、ＲとＲ’は同一であっても、異なっていてもよい）を含有する、複錯塩。
【請求項１０】
ＯＳＣを製造する方法であって、金属錯体塩が少なくとも１つの正電荷を帯びた金属錯体と、少なくとも１つの負電荷を帯びた錯体とを含み、
前記金属錯体が、
式（Ｉ）  Ｋ１＝［Ｌ１Ｌ２Ｌ３Ｌ４Ｍ１］ｎ＋
及び
式（ＩＩ）  Ｋ２＝［Ｌ５Ｌ６Ｌ７Ｌ８Ｍ２］ｎ−
（式中、Ｍ１及びＭ２はそれぞれ、Ｉｒ（Ｉ）、Ｒｈ（Ｉ）、Ｐｔ（ＩＩ）、Ｐｄ（ＩＩ）及びＡｕ（ＩＩＩ）から相互に独立して選択される金属中心であり、
Ｌ１〜Ｌ４及びＬ５〜Ｌ８はそれぞれ中性配位子又は電荷を帯びた配位子を表し、Ｌ１〜Ｌ４及びＬ５〜Ｌ８の２つ以上が相互に連結していてもよく、ｎは１又は２である）、
ここで、前記金属錯体塩は分散体の形態で導入され、又は式（Ｉ）の成分を溶液として及び式（ＩＩ）の成分を拡散によって導入される、
ＯＳＣを製造する方法。
【請求項１１】
吸光装置であって、
（ｉ）１つのアノードと、
（ｉｉ）１つのカソードと、
（ｉｉｉ）前記アノード及び前記カソードの間に、直接的又は間接的に接触して設置され、請求項７〜９のいずれか一項に記載の複錯塩又はオリゴマーを少なくとも１つ含む吸収層と、
を備える、有機太陽電池（ＯＳＣ）であることを特徴とする吸光装置。
【請求項１２】
前記ＯＳＣが、幾つかの、若しくは３つの密に積層されしっかりと接合された完結した太陽電池で構成される、請求項１１に記載の吸光装置。
【請求項１３】
前記ＯＳＣの側面が入射光に向いており、第１の太陽電池が青色スペクトル成分のみを吸収し、前記光の方向に対して前記第１の太陽電池の下に配置される第２の太陽電池が緑色成分のみを吸収し、第３の太陽電池が赤色／赤外成分のみを吸収し、前記第１の太陽電池が緑色光及び赤色光及び赤外線に透過性であり、前記第２の太陽電池が赤色光及び赤外線に透過性である、請求項１１に記載の吸光装置。